Podtech/llm-jp-corpus-v4-ja_patent huggingface dataset:
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
プラズマフラッドガン（ＰＦＧ）にガスを配送するためのガス供給組立体であって、
イオン注入動作において基板の表面電荷を調整するための電子を含む不活性ガスプラズマを生成するためのＰＦＧに不活性ガスを配送するように構成された流体供給パッケージと、
前記不活性ガスと混合されたフッ素含有ガス、または、フッ素含有ガスを、前記ＰＦＧへの不活性ガスの配送と同時もしくは順次に配送するように構成された個別の気体供給パッケージの中のフッ素含有ガスと
を含み、
前記フッ素含有ガスと不活性ガスの全体積の１０％以下の体積の前記フッ素含有ガスを配送するように構成されているガス供給組立体。
【請求項２】
前記フッ素含有ガスが、Ｆ２、ＨＦ、ＳｉＦ４、ＧｅＦ４、ＰＦ３、ＰＦ５、ＢＦ３、Ｂ２Ｆ４、ＮＦ３、Ｎ２Ｆ４、Ｎ２Ｆ２、ＳＦ６、ＭｏＦ６、ＷＦ６、ＣＦ４、ＣＯＦ２、Ｃ２Ｆ４Ｈ２、およびＣｘＯｚＨｙＦｗ（ｗ、ｘ、ｙ、およびｚは、それぞれ独立して、ゼロまたは非ゼロの化学量的に適正な値である）から成るグループから選択される、請求項１に記載のガス供給組立体。
【請求項３】
前記フッ素含有ガスが窒素含有ガスまたはタングステン含有ガスである、請求項１または２に記載のガス供給組立体。
【請求項４】
前記不活性ガスが、アルゴン、ヘリウム、ネオン、窒素、キセノン、およびクリプトンのうち少なくとも１つを含む、請求項１から３のいずれか一項に記載のガス供給組立体。
【請求項５】
前記フッ素含有ガスが前記不活性ガスと混合されて前記不活性ガス流体供給パッケージの中にある、請求項１から４のいずれか一項に記載のガス供給組立体。
【請求項６】
前記フッ素含有ガスが個別のフッ素含有ガス供給パッケージの中にあり、前記ガス供給組立体が、不活性ガスとフッ素含有ガスを混合して前記プラズマフラッドガンに分配するための混合物を形成するために、前記フッ素含有ガス供給パッケージからフッ素含有ガスを受け取り、前記不活性ガス流体供給パッケージから不活性ガスを受け取るように構成された流れ回路構成をさらに備える、請求項１から４のいずれか一項に記載のガス供給組立体。
【請求項７】
プラズマフラッドガン（ＰＦＧ）の性能を改善する方法であって、
フィラメントを備えるＰＦＧにフッ素含有ガスを導入することと、
前記ＰＦＧに不活性ガスを導入することとを含み、
導入される前記フッ素含有ガスが、導入される前記フッ素含有ガスと不活性ガスの全体積の１０％以下である、方法。
【請求項８】
前記ＰＦＧの動作期間中に、前記フッ素含有ガスと前記不活性ガスを導入しながら前記フィラメントに電流が流され、前記フィラメントの重量損失が、同一の期間および運転条件で前記フッ素含有ガスは導入しないフィラメントの重量損失よりも小さい、請求項７に記載の方法。
【手続補正２】
【補正対象書類名】明細書
【補正対象項目名】００１９
【補正方法】変更
【補正の内容】
【００１９】
本明細書で使用されるように、「フッ素含有ガス」は、プラズマフラッドガンの運転条件下ではガス状であり、１つまたは複数のフッ素原子を含む化合物である。実施形態では、例示のフッ素含有ガスは、Ｆ２、ＨＦ、ＳｉＦ４、ＧｅＦ４、ＰＦ３、ＰＦ５、ＢＦ３、Ｂ２Ｆ４、ＮＦ３、Ｎ２Ｆ４、Ｎ２Ｆ２、ＳＦ６、ＭｏＦ６、ＷＦ６、ＣＦ４、ＣＯＦ２、Ｃ２Ｆ４Ｈ２、およびＣｘＯｚＨｙＦｗ（ｗ、ｘ、ｙ、およびｚは、それぞれ独立して、ゼロまたは非ゼロの化学量的に適正な値である）から成るグループから選択される。いくつかの実施形態では、フッ素含有ガスは、ＮＦ３などの窒素含有ガスまたはＷＦ６などのタングステン含有ガスである。
【手続補正３】
【補正対象書類名】明細書
【補正対象項目名】００２２
【補正方法】変更
【補正の内容】
【００２２】
同様に、いくつかの実施形態において、フッ素含有ガスが、Ｆ２、ＨＦ、ＳｉＦ４、ＧｅＦ４、ＰＦ３、ＰＦ５、ＢＦ３、Ｂ２Ｆ４、ＮＦ３、Ｎ２Ｆ４、Ｎ２Ｆ２、ＳＦ６、ＭｏＦ６、ＷＦ６、ＣＦ４、ＣＯＦ２、Ｃ２Ｆ４Ｈ２、およびＣｘＯｚＨｙＦｗ（ｗ、ｘ、ｙ、およびｚは、それぞれ独立して、ゼロまたは非ゼロの化学量的に適正な値である）のうち２つ以上などの基本的にフッ素ガスから成る混合物によって代表される場合には、前記混合物には、フッ素含有ガスの混合物以外の他のガスは、ほんの少し（１％以下の体積）しかないか、またはない。例示の混合物は、ＮＦ３の混合物などの窒素とフッ素含有ガスの混合物、ＷＦ６の混合物などのタングステンとフッ素含有ガスの混合物であり得る。同様に、これらのガスの混合物の出発物質として、たとえば高純度、非常に高い純度、または超高純度のフッ素含有ガスが使用され得る。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
相関したフェルミオンシステムの基底状態を決定するように量子回路を構成する方法であって、前記量子回路が、
キュービットの線形鎖と、
層状に配置された複数のマッチゲートであって、各マッチゲートが、前記線形鎖内の近傍のキュービットで２キュービット回転を実行するように構成されている、前記マッチゲートと
を含み、
前記線形鎖の各キュービットの初期状態を提供することと、
前記量子回路を初期値に適用することにより、キュービットの前記線形鎖上に仮設を準備することであって、前記仮設は、フェルミオン状態に対応する、前記仮設を準備することと
を含む、前記方法。
【請求項２】
相関したフェルミオンシステムの基底状態を決定するための量子回路であって、
キュービットの線形鎖と、
層状に配置された複数のマッチゲートであって、各マッチゲートが、前記線形鎖内の近傍のキュービットで２キュービット回転を実行するように構成されている前記複数のマッチゲートと
を含む、前記量子回路。
【請求項３】
層状に配置された複数の２キュービットゲートであって、前記層が直列に配置されてブロックを形成し、各ゲートは、前記線形鎖内の近傍キュービットに２キュービット回転を実行するように構成され、前記回転はＺＺ回転を含む、前記複数の２キュービットゲート
をさらに含む、請求項２に記載の量子回路。
【請求項４】
少なくとも２つのブロックを含む、請求項３に記載の量子回路。
【請求項５】
キュービットの前記線形鎖が８キュービットを含む、請求項２に記載の量子回路。
【請求項６】
前記線形鎖に第１の数のキュービットと、マッチゲートの第２の数の層とをさらに含み、
前記第２の数が、前記第１の数の半分以下である、請求項２に記載の量子回路。
【請求項７】
前記線形鎖に第１の数のキュービットと、前記ブロックに第２の数の層とをさらに含み、
前記第２の数は、前記第１の数の半分以下である、請求項３に記載の量子回路。
【請求項８】
前記ブロックの前に、前記線形鎖の各キュービットに対して回転を実行するように構成されたゲートをさらに含む、請求項３に記載の量子回路。
【請求項９】
前記複数のマッチゲートが２つの連続するグループに配置され、各グループの前記マッチゲートが並列に適用される、請求項２に記載の量子回路。
【請求項１０】
前記複数の２キュービットゲートが２つの連続するグループに配置され、各グループの前記ゲートが並列に適用される、請求項３に記載の量子回路。
【請求項１１】
相関したフェルミオンシステムの基底状態を決定する方法であって、
複数の構成パラメータを有する量子回路を構成することであって、前記量子回路は、
キュービットの線形鎖と、
層状に配置された複数のマッチゲートであって、各マッチゲートが、前記線形鎖内の近傍のキュービットで２キュービット回転を実行するように構成されている、前記複数のマッチゲートと
を含む、前記構成することと、
前記線形鎖の各キュービットの初期状態を提供することと、
前記量子回路を初期値に適用することにより、キュービットの前記線形鎖に仮設を準備することであって、前記仮設は、フェルミオン状態に対応する、前記仮設を準備することと、
前記量子回路を使用して、前記相関したフェルミオンシステムの第１のエネルギー値を決定することと、
前記第１のエネルギー値に基づいて、前記複数の構成パラメータを調整することと、
前記量子回路を使用して、前記相関したフェルミオンシステムの第２のエネルギー値を決定することであって、前記構成パラメータが、前記第２のエネルギー値を最小化するように調整される、前記相関したフェルミオンシステムの第２のエネルギー値を前記決定することと
を含む、前記方法。
【請求項１２】
前記複数の構成パラメータを調整することは、古典的な計算ノードを使用して前記複数の構成パラメータを最適化することを含む、請求項１１に記載の方法。
【請求項１３】
前記第１のエネルギー値が、前記構成パラメータの関数であり、前記関数は勾配を有し、
前記勾配を決定すること
をさらに含む、請求項１１に記載の方法。
【請求項１４】
前記フェルミオン状態がガウス型である、請求項１または１１に記載の方法。
【請求項１５】
前記量子回路が、
層状に配置された複数の２キュービットゲートであって、前記層が直列に配置されてブロックを形成し、各ゲートが、前記線形鎖内の近傍キュービットに２キュービット回転を実行するように構成され、前記回転がＺＺ回転を含む、前記複数の２キュービットゲート
をさらに含む、請求項１または１１に記載の方法。
【請求項１６】
前記フェルミオン状態が非ガウス型である、請求項１５に記載の方法。
【請求項１７】
前記量子回路が少なくとも２つのブロックを含む、請求項１５に記載の方法。
【請求項１８】
キュービットの前記線形鎖が８キュービットを含む、請求項１または１１に記載の方法。
【請求項１９】
前記量子回路は、前記線形鎖に第１の数のキュービットと、第２の数のマッチゲート層とを含み、
前記第２の数は、前記第１の数の半分以下である、請求項１または１１に記載の方法。
【請求項２０】
前記量子回路は、前記線形鎖に第１の数のキュービットと、前記ブロックに第２の数の層とを含み、
前記第２の数は、前記第１の数の半分以下である、請求項１５に記載の方法。
【請求項２１】
前記初期状態が準粒子真空状態に対応する、請求項１または１１に記載の方法。
【請求項２２】
前記量子回路は、前記ブロックの前に、前記線形鎖の各キュービットに対して回転を実行するように構成されたゲートをさらに含む、請求項１５に記載の方法。
【請求項２３】
前記複数のマッチゲートが２つの連続するグループに配置され、各グループの前記マッチゲートが並列に適用される、請求項１または１１に記載の方法。
【請求項２４】
前記複数の２キュービットゲートが２つの連続するグループに配置され、各グループの前記ゲートが並列に適用される、請求項１５に記載の方法。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
心臓壁の運動をスコアリングするシステム（１００）であって、
１回目に前記心臓壁の第１の画像（２３０）を取得し、２回目に前記心臓壁の第２の画像（２４０）を取得するように動作可能な撮像システム（１０２）と、
プロセッサ（１０６）であって：
前記第１の画像（２３０）の輪郭データ（２３４）の第１のセットを識別し、
前記第２の画像（２４０）の輪郭データ（２４４）の第２のセットを識別し、
輪郭データ（２３４，２４４）の前記第１および前記第２のセットに依存して、前記心臓壁のセクションにおける心臓の周期的変化を表す少なくとも１つの要素（Ｅｉ）を定義し、
前記要素（Ｅｉ）または各要素（Ｅｉ）を分析して、２つ以上のメトリックを生成する
ように構成された前記プロセッサ（１０６）と、
を備え、前記システム（１００）は、前記プロセッサ（１０６）が、
前記要素（Ｅｉ）または各要素（Ｅｉ）に対して生成された前記２つ以上のメトリックを、第１主成分を含む参照データモデルと比較して、前記心臓壁の対応する前記セクションの前記運動をスコアリングするようにさらに構成され、
前記スコアリングは、前記要素（Ｅｉ）に対して生成された前記２つ以上のメトリックの二変量解析または多変量解析に応じて、前記要素（Ｅｉ）または各要素（Ｅｉ）のスコアを計算することを含み、前記スコアは、前記参照データモデルの前記第１主成分上の前記２つ以上のメトリックの値を表す、システム（１００）。
【請求項２】
前記プロセッサ（１０６）は、輪郭点（２３２-ｎ，２４２-ｎ）の複数の対を識別するように構成され、前記輪郭点の各対は、輪郭データ（２３４，２４４）の前記第１および前記第２のセット内の対応する特徴に関連する、請求項１に記載のシステム（１００）。
【請求項３】
各要素（Ｅｉ）が輪郭点（２３２-ｎ，２４２-ｎ）の少なくとも第１および第２の対を含み、各対の前記輪郭点が前記要素（Ｅｉ）の頂点を定義する、請求項２に記載のシステム（１００）。
【請求項４】
各要素（Ｅｉ）の前記分析が、各対の前記輪郭点間の距離を決定することと、各要素（Ｅｉ）の前記輪郭点間の平均距離を計算することとを含む、請求項３に記載のシステム（１００）。
【請求項５】
各要素（Ｅｉ）が、前記輪郭点の運動の軌跡に対応する対向する第１および第２の側面を含む、請求項２、３または４のいずれか一項に記載のシステム（１００）。
【請求項６】
各要素（Ｅｉ）の前記分析が、
前記要素（Ｅｉ）の面積（Ａｉ）を決定することと、
各要素（Ｅｉ）の矩形度であって、同矩形度は、各要素（Ｅｉ）の前記面積（Ａｉ）とその最小外接矩形の面積（Ｒｉ）との間の比率として計算される、矩形度を決定することと、
各要素（Ｅｉ）の硬度であって、同硬度は、前記要素の面積（Ａｉ）とその凸包の面積（Ｈｉ）との間の比率として計算される、硬度を決定することと、
のうちの少なくともいずれかを含む、請求項１乃至５のいずれか一項に記載のシステム。
【請求項７】
前記撮像システム（１０２）が二次元画像を生成し、前記第１及び第２の画像（２３０，２４０）は前記心臓壁の二次元画像を含むように構成されていることと、
各要素（Ｅｉ）が多角形を含むことと、
前記プロセッサ（１０６）が、安静状態中およびストレス状態中の前記心臓壁の前記運動をスコアリングするように構成されていることと、
前記第１の画像（２３０）が収縮末期画像を含み、前記第２の画像（２４０）が拡張末期画像を含み、輪郭データの前記第１セットが収縮末期輪郭データを含み、輪郭データの前記第２セットが拡張末期データを含むことと、
のうちの少なくともいずれかを含む、請求項１乃至６のいずれか一項に記載のシステム（１００）。
【請求項８】
心臓壁の運動をスコアリングする方法であって、
１回目の前記心臓壁の第１の画像（２３０）および２回目の前記心臓壁の第２の画像（２４０）を取得するステップと、
前記第１の画像（２３０）の輪郭データ（２３４）の第１のセットを識別するステップと、
前記第２の画像（２４０）の輪郭データ（２４４）の第２のセットを識別するステップと、
輪郭データ（２３４，２４４）の前記第１および前記第２のセットに依存して、前記心臓壁のセクションにおける心臓の周期的変化を表す少なくとも１つの要素（Ｅｉ）を定義するステップと、
前記要素（Ｅｉ）または各要素（Ｅｉ）を分析して、２つ以上のメトリックを生成するステップと、
を含み、前記方法は、
前記要素（Ｅｉ）または各要素（Ｅｉ）に対して生成された前記２つ以上のメトリックを参照データモデルと比較して、前記心臓壁の対応する前記セクションの前記運動をスコアリングするステップと、
を含み、前記スコアリングするステップは、前記要素（Ｅｉ）に対して生成された前記２つ以上のメトリックの二変量解析または多変量解析に応じて、前記要素（Ｅｉ）または各要素（Ｅｉ）のスコアを計算するステップを含み、前記スコアは、前記参照データモデルの第１主成分上の前記２つ以上のメトリックの値を表す、方法。
【請求項９】
輪郭点（２３２-ｎ，２４２-ｎ）の複数の対を識別することを含み、輪郭点の各対は、輪郭データの前記第１および前記第２のセットにおける対応する画像要素に関連し、各要素（Ｅｉ）は、前記輪郭点の運動の軌跡に対応する対向する第１および第２の側面を任意に含む、請求項８に記載の方法。
【請求項１０】
各要素（Ｅｉ）は、輪郭点（２３２-ｎ，２４２-ｎ）の少なくとも第１および第２の対を含み、各対の前記輪郭点が前記要素（Ｅｉ）の頂点を定義し、
各要素（Ｅｉ）の前記分析が、各対の前記輪郭点間の距離を決定することと、各要素（Ｅｉ）の前記輪郭点間の平均距離を計算することとを任意に含む、請求項９に記載の方法。
【請求項１１】
各要素（Ｅｉ）の前記分析が、
前記要素（Ｅｉ）の面積（Ａｉ）を決定することと、
各要素（Ｅｉ）の矩形度であって、同矩形度は、各要素（Ｅｉ）の前記面積（Ａｉ）とその最小外接矩形の面積（Ｒｉ）との間の比率として計算される、矩形度を決定することと、
各要素（Ｅｉ）の硬度であって、同硬度は、前記要素の面積（Ａｉ）とその凸包の面積（Ｈｉ）との間の比率として計算される、硬度を決定することと、
のうちの少なくともいずれかを含む、請求項８乃至１０のいずれか一項に記載の方法。
【請求項１２】
前記第１および第２の画像（２３０，２４０）が、前記心臓壁の二次元画像を含むか、各要素が多角形を含むかのうちの少なくともいずれかである、請求項８乃至１１のいずれか一項に記載の方法。
【請求項１３】
安静状態中およびストレス状態中の前記心臓壁の前記運動をスコアリングすることを含む、請求項８乃至１２のいずれか一項に記載の方法。
【請求項１４】
前記第１の画像（２３０）が収縮末期画像を含み、前記第２の画像（２４０）が拡張末期画像を含み、輪郭データの前記第１セットが収縮末期輪郭データ（２３２-ｎ）を含み、輪郭データの前記第２セットが拡張末期輪郭データ（２４２-ｎ）を含む、請求項８乃至１３のいずれか一項に記載の方法。
【請求項１５】
プロセッサ（１０６）上で実行時に前記プロセッサ（１０６）に請求項８乃至１４のいずれか一項に記載の方法を実行させる一連の命令が格納された非一時的なコンピュータ可読媒体。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
動的Ｗｅｂサイトの分析情報提供方法において、
動的Ｗｅｂページに対応する接続情報を取得するステップと、
前記接続情報に対応するユーザ情報を取得するステップと、
前記ユーザ情報に基づいて管理者権限が確認される場合、前記動的Ｗｅｂページの訪問者の行動分析データを受信するステップと、
前記行動分析データを前記動的Ｗｅｂページに同期化して、視覚化処理された動的Ｗｅｂページを出力するステップと、を含む
動的Ｗｅｂサイトの分析情報提供方法。
【請求項２】
前記ユーザ情報を取得するステップは、前記接続情報から管理者情報に対応するキー情報を識別するステップを含む
請求項１に記載の動的Ｗｅｂサイトの分析情報提供方法。
【請求項３】
前記行動分析データは、
前記動的Ｗｅｂページに対応して予め収集されたイベントカウンタ情報を含む
請求項１に記載の動的Ｗｅｂサイトの分析情報提供方法。
【請求項４】
前記出力するステップは、
前記動的Ｗｅｂページの有効要素を識別するステップと、
前記行動分析データから前記有効要素に対応するイベントカウンタ情報を示す行動マップ情報を生成するステップと、
前記生成された行動マップ情報を前記動的Ｗｅｂページに同期化して出力するステップと、を含む
請求項３に記載の動的Ｗｅｂサイトの分析情報提供方法。
【請求項５】
前記出力するステップは、
前記動的Ｗｅｂページに対応するユーザ入力により、前記有効要素の変化を検出するステップと、
前記有効要素の変化が検出された場合、前記行動分析データから前記行動マップ情報を更新するステップと、をさらに含む
請求項４に記載の動的Ｗｅｂサイトの分析情報提供方法。
【請求項６】
前記接続情報に基づいて、データを収集する第１モードに進入するステップと、
前記第１モードにおいてユーザ入力によるイベントデータを収集加工するステップと、
前記収集加工されたイベントデータを行動分析装置に送信するステップと、をさらに含む
請求項１に記載の動的Ｗｅｂサイトの分析情報提供方法。
【請求項７】
前記行動分析装置は、前記イベントデータを分析して前記動的Ｗｅｂページにマッチングさせて保存管理する
請求項６に記載の動的Ｗｅｂサイトの分析情報提供方法。
【請求項８】
前記イベントデータは、イベント種類情報、イベント固有情報、イベント位置情報、及びこれに対応するイベントカウンタ情報を含む
請求項６に記載の動的Ｗｅｂサイトの分析情報提供方法。
【請求項９】
動的Ｗｅｂページに対応する接続情報を取得する接続情報取得部と、
前記接続情報に対応するユーザ情報を取得して分析装置に送信し、前記ユーザ情報に基づいて管理者権限が確認される場合、前記動的Ｗｅｂページの訪問者の行動分析データを受信する通信部と、
前記行動分析データを前記動的Ｗｅｂページに同期化して、視覚化処理された動的Ｗｅｂページを出力する出力部と、を含む
動的Ｗｅｂサイトの分析情報提供装置。
【請求項１０】
前記接続情報取得部は、
前記接続情報から管理者情報に対応するキー情報を識別する
請求項９に記載の動的Ｗｅｂサイトの分析情報提供装置。
【請求項１１】
前記行動分析データは、
前記動的Ｗｅｂページに対応して予め収集されたイベントカウンタ情報を含む
請求項９に記載の動的Ｗｅｂサイトの分析情報提供装置。
【請求項１２】
前記動的Ｗｅｂページの有効要素を識別する有効要素識別部と、
前記行動分析データから前記有効要素に対応するイベントカウンタ情報を示す行動マップ情報を生成する行動情報レンダリング部と、をさらに含み、
前記出力部は、前記生成された行動マップ情報を前記動的Ｗｅｂページに同期化して出力する
請求項１１に記載の動的Ｗｅｂサイトの分析情報提供装置。
【請求項１３】
前記動的Ｗｅｂページに対応するユーザ入力により、前記有効要素の変化を検出する要素変化検出部と、
前記有効要素の変化が検出された場合、前記行動分析データから前記行動マップ情報を更新する制御部と、をさらに含む
請求項１２に記載の動的Ｗｅｂサイトの分析情報提供装置。
【請求項１４】
前記接続情報に基づいて、データを収集する第１モードに進入する制御部と、
前記第１モードにおいてユーザ入力によるイベントデータを収集加工するイベント情報収集部と、をさらに含み、
前記通信部は、前記収集加工されたイベントデータを行動分析装置に送信する
請求項９に記載の動的Ｗｅｂサイトの分析情報提供装置。
【請求項１５】
前記行動分析装置は、前記イベントデータを分析して前記動的Ｗｅｂページにマッチングさせて保存管理する
請求項１４に記載の動的Ｗｅｂサイトの分析情報提供装置。
【請求項１６】
前記イベントデータは、イベント種類情報、イベント固有情報、イベント位置情報、及びこれに対応するイベントカウンタ情報を含む
請求項１５に記載の動的Ｗｅｂサイトの分析情報提供装置。
【請求項１７】
請求項１乃至請求項８のいずれか一項に記載の方法をコンピュータで実行させるためのプログラムが記録された記録媒体。
【手続補正２】
【補正対象書類名】明細書
【補正対象項目名】００４３
【補正方法】変更
【補正の内容】
【００４３】
制御部１９０は、サービス提供モジュール１００を含む装置の各構成要素の動作及び機能の実行を全体的に制御する。例えば、制御部１９０は、接続情報取得、イベント情報収集、分析情報取得、有効要素識別、行動情報レンダリング、要素変化感知、および出力機能の全部または一部を制御するためのプロセッサ、または、それを実行するためのプログラムとして実現される。
【手続補正３】
【補正対象書類名】明細書
【補正対象項目名】００７７
【補正方法】変更
【補正の内容】
【００７７】
たとえば、行動情報レンダリング部１５０は、行動分析装置２００から受信した分析データのイベント指標を、現在ページに存在する有効要素を基準として再加工したヒートマップとしてレンダリングすることができる。また、行動情報レンダリング部１５０は、イベント別指標を生成してレンダリングすることができる。たとえば、行動情報レンダリング部１５０は、それぞれの要素と同じ位置に１つ以上の要素を生成し、クリック、ホバリングなどの各要素のマウスイベント別指標を１つ以上出力することもできる。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
動的Ｗｅｂサイトの分析情報提供方法において、
前記動的Ｗｅｂページの訪問者の行動分析データを受信するステップと、
前記動的Ｗｅｂページから有効要素に対応する有効領域を識別するステップと、
前記行動分析データから前記有効領域に対応するイベントカウンタ情報を取得するステップと、
前記イベントカウンタ情報に基づいて、前記動的Ｗｅｂページ上のユーザ行動分析の結果を示すヒートマップを生成するステップと、
前記生成されたヒートマップを前記動的Ｗｅｂページに同期化して出力するステップと、を含む
動的Ｗｅｂサイトの分析情報提供方法。
【請求項２】
前記有効要素は、動的Ｗｅｂページ上でユーザ入力による機能が実行される１つ以上のＷｅｂページ要素を含む
請求項１に記載の動的Ｗｅｂサイトの分析情報提供方法。
【請求項３】
前記有効要素のうち、動的Ｗｅｂページ上での動作により、非表示処理されるかまたは他のレイヤーの重畳により表面上隠された要素は、前記有効要素から除外される
請求項２に記載の動的Ｗｅｂサイトの分析情報提供方法。
【請求項４】
前記有効領域は、前記有効要素を中心とする所定の大きさ以内の図形で形成される
請求項１に記載の動的Ｗｅｂサイトの分析情報提供方法。
【請求項５】
前記ヒートマップは、前記有効領域に対応して、イベントカウンタ情報を座標別に視覚化した形の分布図画像を含む
請求項１に記載の動的Ｗｅｂサイトの分析情報提供方法。
【請求項６】
前記出力するステップは、
前記イベントカウンタ情報に基づく有効領域別のカウンタの密集度を算出し、前記密集度に対応する分布図画像を生成して前記ヒートマップ上の前記有効領域に配置させるステップをさらに含む
請求項５に記載の動的Ｗｅｂサイトの分析情報提供方法。
【請求項７】
前記出力するステップは、
ユーザの入力により、前記生成されたヒートマップを動的Ｗｅｂページの反応動作と同期化して提供するステップを含む
請求項１に記載の動的Ｗｅｂサイトの分析情報提供方法。
【請求項８】
前記提供するステップは、
要素変化感知の結果を利用して、現在表示されている動的Ｗｅｂページ上の有効要素の変化を感知するステップと、
前記感知により新規検出または削除された有効要素を判別し、判別された有効要素および有効領域に対応する有効領域識別部、イベントカウント識別部及びヒートマップ生成部の動作を制御することにより、ヒートマップが同期化された動的Ｗｅｂページが出力されるように制御するステップと、を含む
請求項７に記載の動的Ｗｅｂサイトの分析情報提供方法。
【請求項９】
動的Ｗｅｂサイトの分析情報提供装置において、
前記動的Ｗｅｂページの訪問者の行動分析データを受信する通信部と、
前記動的Ｗｅｂページから有効要素に対応する有効領域を識別する有効領域識別部と、
前記行動分析データから前記有効領域に対応するイベントカウンタ情報を取得するイベントカウント識別部と、
前記イベントカウンタ情報に基づいて、前記動的Ｗｅｂページ上のユーザ行動分析の結果を示すヒートマップを生成するヒートマップ生成部と、
前記生成されたヒートマップを前記動的Ｗｅｂページに同期化して出力する動的Ｗｅｂページ同期化部と、を含む
動的Ｗｅｂサイトの分析情報提供装置。
【請求項１０】
前記有効要素は、動的Ｗｅｂページ上でユーザ入力による機能が実行される１つ以上のＷｅｂページ要素を含む
請求項９に記載の動的Ｗｅｂサイトの分析情報提供装置。
【請求項１１】
前記有効要素のうち、動的Ｗｅｂページ上での動作により、非表示処理されるかまたは他のレイヤーの重畳により表面上隠された要素は、前記有効要素から除外されることを特徴とする
請求項１０に記載の動的Ｗｅｂサイトの分析情報提供装置。
【請求項１２】
前記有効領域は、前記有効要素を中心とする所定の大きさ以内の図形で形成される
請求項９に記載の動的Ｗｅｂサイトの分析情報提供装置。
【請求項１３】
前記ヒートマップは、前記有効領域に対応して、イベントカウンタ情報を座標別に視覚化した形の分布図画像を含む
請求項９に記載の動的Ｗｅｂサイトの分析情報提供装置。
【請求項１４】
前記ヒートマップ生成部は、
前記イベントカウンタ情報に基づく有効領域別のカウンタの密集度を算出し、前記密集度に対応する分布図画像を生成して前記ヒートマップ上の前記有効領域に配置させる
請求項１３に記載の動的Ｗｅｂサイトの分析情報提供装置。
【請求項１５】
前記動的Ｗｅｂページ同期化部は、
ユーザ入力により、前記生成されたヒートマップを動的Ｗｅｂページの反応動作と同期化して提供する
請求項９に記載の動的Ｗｅｂサイトの分析情報提供装置。
【請求項１６】
前記動的Ｗｅｂページ同期化部は、
要素変化感知の結果を利用して、現在表示されている動的Ｗｅｂページ上の有効要素の変化を感知し、前記感知により新規検出または削除された有効要素を判別し、判別された有効要素および有効領域に対応する前記有効領域識別部、前記イベントカウント識別部及び前記ヒートマップ生成部の動作を制御することにより、ヒートマップが同期化された動的Ｗｅｂページが出力されるように制御する
請求項１５に記載の動的Ｗｅｂサイトの分析情報提供装置。
【請求項１７】
請求項１乃至請求項８のいずれか一項に記載の方法をコンピュータで実行させるためのプログラムが記録された記録媒体。
【手続補正２】
【補正対象書類名】明細書
【補正対象項目名】００４３
【補正方法】変更
【補正の内容】
【００４３】
制御部１９０は、サービス提供モジュール１００を含む装置の各構成要素の動作及び機能の実行を全体的に制御する。例えば、制御部１９０は、接続情報取得、イベント情報収集、分析情報取得、有効要素識別、行動情報レンダリング、要素変化感知、および出力機能の全部または一部を制御するためのプロセッサ、または、それを実行するためのプログラムとして実現される。
【手続補正３】
【補正対象書類名】明細書
【補正対象項目名】００７７
【補正方法】変更
【補正の内容】
【００７７】
たとえば、行動情報レンダリング部１５０は、行動分析装置２００から受信した分析データのイベント指標を、現在ページに存在する有効要素を基準として再加工したヒートマップとしてレンダリングすることができる。また、行動情報レンダリング部１５０は、イベント別指標を生成してレンダリングすることができる。たとえば、行動情報レンダリング部１５０は、それぞれの要素と同じ位置に１つ以上の要素を生成し、クリック、ホバリングなどの各要素のマウスイベント別指標を１つ以上出力することもできる。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
メモリを動作させる方法であって、
強誘電体材料を有するメモリセルに検知電圧を印加することと、
前記検知電圧が前記メモリセルに印加されている間に前記メモリセルによって出力された第１の電流と、前記検知電圧が前記メモリセルに印加されている間に前記メモリセルによって出力された第２の電流とを分離することによって前記メモリセルのデータ状態を判定することであって、
前記メモリセルによって出力された前記第１の電流が前記メモリセルの前記強誘電体材料の第１の分極状態に対応し、
前記メモリセルによって出力された前記第２の電流が前記メモリセルの前記強誘電体材料の第２の分極状態に対応する、前記判定することと、
を含む、前記方法。
【請求項２】
前記方法が、
前記検知電圧を前記メモリセルに印加する前に、前記メモリセルに結合されたデータ線をプリチャージすることと、
前記メモリセルに結合された前記データ線を前記検知電圧が前記メモリセルに印加されている間に特定の基準時刻まで継続的にプリチャージすることにより、前記検知電圧が前記メモリセルに印加されている間に前記メモリセルによって出力された前記第１の電流と、前記検知電圧が前記メモリセルに印加されている間に前記メモリセルによって出力された前記第２の電流とを分離することと、
を含む、請求項１に記載の方法。
【請求項３】
前記検知電圧が前記メモリセルに印加されている間に前記メモリセルによって出力された前記第１の電流と、前記検知電圧が前記メモリセルに印加されている間に前記メモリセルによって出力された前記第２の電流とを分離することが、前記メモリセルによって出力された前記第１の電流に対応する前記メモリセルによって放電された電荷と、前記メモリセルによって出力された前記第２の電流に対応する前記メモリセルによって放電された電荷とを分離することを含み、
前記メモリセルの前記データ状態が、前記メモリセルによって出力された前記第２の電流に対応する前記メモリセルによって放電された前記電荷のみを使用して判定される、請求項１に記載の方法。
【請求項４】
前記方法が、
前記メモリセルによって出力された前記第２の電流に対応する前記メモリセルによって放電された前記電荷に関連した電圧量と、
基準電圧との比較に基づいて前記メモリセルの前記データ状態を判定することを含む、請求項３に記載の方法。
【請求項５】
前記方法が、
前記メモリセルによって出力された前記第２の電流のみを使用して前記メモリセルの前記データ状態を判定することを含む、請求項１に記載の方法。
【請求項６】
前記方法が、
前記第２の電流が前記メモリセルによって出力される時間に基づいて前記メモリセルの前記データ状態を判定することを含む、請求項１に記載の方法。
【請求項７】
強誘電体材料を有するメモリセルと、
回路であって、
前記メモリセルに検知電圧を印加することと、
前記検知電圧が前記メモリセルに印加されている間に特定の基準時刻の前に前記メモリセルによって出力された電流と、前記検知電圧が前記メモリセルに印加されている間に前記特定の基準時刻の後に前記メモリセルによって出力された電流とを分離することによって前記メモリセルのデータ状態を判定することと、
を行うように構成された、前記回路と、
を含む装置。
【請求項８】
前記特定の基準時刻が、
前記メモリセルの前記強誘電体材料の分極状態の変化が発生したときの時刻に基づく、請求項７に記載の装置。
【請求項９】
前記回路が、
前記検知電圧を前記メモリセルに印加する前に、前記メモリセルに結合されたデータ線をプリチャージすることと、
前記メモリセルに結合された前記データ線を、前記検知電圧が前記メモリセルに印加されている間に前記特定の基準時刻まで継続的にプリチャージすることにより、前記検知電圧が前記メモリセルに印加されている間に前記特定の基準時刻の前に前記メモリセルによって出力された前記電流と、前記検知電圧が前記メモリセルに印加されている間に前記特定の基準時刻の後に前記メモリセルによって出力された前記電流とを分離することと、
を行うように構成される、請求項８に記載の装置。
【請求項１０】
前記回路が、前記メモリセルに結合されたコンデンサであって、前記検知電圧が前記メモリセルに印加されている間に前記メモリセルによって出力された前記第２の電流に対応する前記メモリセルによって放電された電荷のみを蓄積するように構成された、前記コンデンサを含み、
前記回路が、前記コンデンサによって蓄積された前記電荷に基づいて前記メモリセルの前記データ状態を判定するように構成される、請求項７に記載の装置。
【請求項１１】
前記回路が、
前記コンデンサによって蓄積された前記電荷に関連した電圧量と、
基準電圧との比較に基づいて前記メモリセルの前記データ状態を判定するように構成される、請求項１０に記載の装置。
【請求項１２】
前記メモリセルの前記データ状態が、前記コンデンサによって蓄積された前記電荷に関連した前記電圧量が前記基準電圧よりも小さいことを前記比較が示すときに第１のデータ状態であり、
前記メモリセルの前記データ状態が、前記コンデンサによって蓄積された前記電荷に関連した前記電圧量が前記基準電圧よりも大きいことを前記比較が示すときに第２のデータ状態である、請求項１１に記載の装置。
【請求項１３】
前記回路が、
前記検知電圧が前記メモリセルに印加されている間に前記特定の基準時刻の後に前記メモリセルによって出力された前記電流のみを使用して前記メモリセルの前記データ状態を判定するように構成される、請求項７に記載の装置。
【請求項１４】
前記回路が、
前記検知電圧が前記メモリセルに印加されている間に前記特定の基準時刻の前に前記メモリセルによって出力された前記電流と、前記検知電圧が前記メモリセルに印加されている間に前記特定の基準時刻の後に前記メモリセルによって出力された前記電流とを分離するように構成されたスイッチを含む、請求項７〜１３のいずれか１項に記載の装置。
【請求項１５】
前記回路が、
前記検知電圧が前記メモリセルに印加されている間に前記特定の基準時刻の前に前記メモリセルによって出力された前記電流と、前記検知電圧が前記メモリセルに印加されている間に前記特定の基準時刻の後に前記メモリセルによって出力された前記電流とを分離するように構成されたトランジスタを含む、請求項７〜１３のいずれか１項に記載の装置。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
最適化された特徴セットを備える製品の需要のモデルを生成する方法であって、
前記製品の売上履歴を受信するステップと、
前記製品の関連特徴のセットを受信して、前記関連特徴のサブセットを必須の特徴として指定するステップと、
前記売上履歴から、訓練データセットおよび検証データセットを形成するステップと、
前記関連特徴のセットから１つ以上の任意の特徴を無作為に選択し、前記選択された任意の特徴を前記必須の特徴とともに含めて、特徴テストセットを作成するステップと、
前記訓練データセットおよび前記特徴テストセットを使用してアルゴリズムを訓練して、訓練されたアルゴリズムを生成するステップと、
前記訓練されたアルゴリズムおよび前記検証データセットを使用して早期終了メトリックを計算するステップと、
前記早期終了メトリックが予め規定された閾値を下回る場合、前記特徴テストセットは、前記最適化された特徴セットであるステップと、
前記早期終了メトリックが前記予め規定された閾値を下回らない場合、前記無作為に選択するステップ、前記訓練するステップおよび前記計算するステップを繰り返すステップとを備える、方法。
【請求項２】
前記方法を繰り返して、複数の最適化された特徴セットを生成するステップをさらに備え、前記最適化された特徴セットの各々は、予測アルゴリズムに入力されて、訓練されたモデルを生成する、請求項１に記載の方法。
【請求項３】
前記訓練データセットおよび前記検証データセットを形成するステップは、前記売上履歴の第１のサブセットを前記訓練データセットとして無作為に選択し、前記売上履歴の残りを前記検証データセットとして使用するステップを備える、請求項１または２に記載の方法。
【請求項４】
前記アルゴリズムは、線形回帰、サポートベクターマシンまたは人工ニューラルネットワークのうちの１つを備える機械学習アルゴリズムを備える、請求項１〜３のいずれかに記載の方法。
【請求項５】
前記早期終了メトリックは、平均絶対誤差率を備える、請求項１〜４のいずれかに記載の方法。
【請求項６】
訓練セットを使用して前記最適化された特徴セットに対応する複数のモデルを訓練し、対応する検証セットを使用して各々の訓練されたモデルを検証して誤差を計算するステップと、
各モデルのモデル重みを計算するステップと、
各モデルについて予測と重みとを備えるモデル組み合わせを出力するステップと、
前記モデル組み合わせに基づいて将来の売り上げの予測を生成するステップとをさらに備える、請求項２に記載の方法。
【請求項７】
前記誤差は、二乗平均平方根誤差（ＲＭＳＥ）であり、各訓練セットｉの各モデルでは、前記モデル重みｗ（ｉ）を計算するステップは、
【数１】
2021507323.tif 000001
を備える、請求項６に記載の方法。
【請求項８】
請求項１〜７のいずれかに記載の方法をプロセッサに実行させるためのコンピュータプログラム。
【請求項９】
請求項８に記載のコンピュータプログラムを格納したメモリと、
前記コンピュータプログラムを実行するためのプロセッサとを備える、システム。
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
メイン表示領域に第１のアプリケーションの第１のユーザーインタフェースを表示することと、
サブ表示領域に第２のアプリケーションのプログラムアイコンを表示することと、
前記プログラムアイコンに対する第１の操作信号を受信した場合、前記第１のユーザーインタフェースにフローティングウィンドウを表示することとを含み、
前記フローティングウィンドウは、前記第２のアプリケーションの第２のユーザーインタフェースを表示するために用いられる
ことを特徴とするユーザーインタフェースの表示方法。
【請求項２】
前記第１のユーザーインタフェースにフローティングウィンドウを表示することは、
前記第１のユーザーインタフェースの一部領域に前記フローティングウィンドウを重畳して表示することを含み、前記一部領域と前記サブ表示領域との距離が所定の距離よりも小さい
ことを特徴とする請求項１に記載のユーザーインタフェースの表示方法。
【請求項３】
前記フローティングウィンドウに非表示ボタンがさらに表示され、前記方法は、さらに、
前記非表示ボタンに対する第２の操作信号を受信した場合、前記フローティングウィンドウの表示をキャンセルすることを含む
ことを特徴とする請求項２に記載のユーザーインタフェースの表示方法。
【請求項４】
前記方法は、さらに、
前記非表示ボタンに対する前記第２の操作信号を受信した場合、前記第２のアプリケーションをバックグラウンド動作状態に切り替えることを含む
ことを特徴とする請求項３に記載のユーザーインタフェースの表示方法。
【請求項５】
前記フローティングウィンドウにフルスクリーンボタンがさらに表示され、前記方法は、さらに、
前記フルスクリーンボタンに対する第３の操作信号を受信した場合、前記メイン表示領域に前記第２のアプリケーションの前記第２のユーザーインタフェースがフルスクリーンで表示することを含む
ことを特徴とする請求項２に記載のユーザーインタフェースの表示方法。
【請求項６】
前記フローティングウィンドウに移動領域がさらに表示され、前記方法は、さらに、
前記移動領域に対する第４の操作信号を受信した場合、前記第４の操作信号に基づいて前記メイン表示領域における前記フローティングウィンドウの表示位置を変更することを含む
ことを特徴とする請求項２に記載のユーザーインタフェースの表示方法。
【請求項７】
前記サブ表示領域に第２のアプリケーションのプログラムアイコンを表示することは、
前記サブ表示領域に対する第１のスライド信号を受信した場合、前記サブ表示領域に前記第２のアプリケーションのプログラムアイコンを表示することを含む
ことを特徴とする請求項１〜６のいずれか１項に記載のユーザーインタフェースの表示方法。
【請求項８】
前記サブ表示領域が、順に接続される第１の長辺、第１の短辺、第２の長辺及び第２の短辺を含み、  
前記第１のスライド信号が、前記第１の長辺から前記第２の長辺にスライドする信号であり、前記第１の長辺と前記メイン表示領域との距離が前記第２の長辺と前記メイン表示領域との距離よりも大きい
ことを特徴とする請求項７に記載のユーザーインタフェースの表示方法。
【請求項９】
前記サブ表示領域に対する第１のスライド信号を受信した場合、前記サブ表示領域に前記第２のアプリケーションのプログラムアイコンを表示することは、
前記サブ表示領域に対する第１のスライド信号を受信し、且つ、本体状態が横画面状態にある場合、前記サブ表示領域に前記第２のアプリケーションのプログラムアイコンを表示することを含む
ことを特徴とする請求項７に記載のユーザーインタフェースの表示方法。
【請求項１０】
前記サブ表示領域に第２のアプリケーションのプログラムアイコンを表示した後、さらに、
前記サブ表示領域に対する第２のスライド信号を受信した場合、前記第２のスライド信号に応答して、前記サブ表示領域に前記第２のアプリケーションのプログラムアイコンの表示をキャンセルし、前記サブ表示領域に第３のアプリケーションのプログラムアイコンの表示を追加することを含む
ことを特徴とする請求項１〜６のいずれか１項に記載のユーザーインタフェースの表示方法。
【請求項１１】
第１の表示モジュールと、第２の表示モジュールとを備えるユーザーインタフェースの表示装置であって、
前記第１の表示モジュールは、メイン表示領域に第１のアプリケーションの第１のユーザーインタフェースを表示するように構成され、
前記第２の表示モジュールは、サブ表示領域に第２のアプリケーションのプログラムアイコンを表示するように構成され、
前記第２の表示モジュールは、さらに、前記プログラムアイコンに対する第１の操作信号を受信した場合、前記第１のユーザーインタフェースにフローティングウィンドウを表示するように構成され、前記フローティングウィンドウは、前記第２のアプリケーションの第２のユーザーインタフェースを表示するために用いられる
ことを特徴とするユーザーインタフェースの表示装置。
【請求項１２】
前記第２の表示モジュールは、さらに、前記第１のユーザーインタフェースの一部領域に前記フローティングウィンドウを重畳して表示するように構成され、前記一部領域と前記サブ表示領域との距離が所定の距離よりも小さい
ことを特徴とする請求項１１に記載のユーザーインタフェースの表示装置。
【請求項１３】
前記フローティングウィンドウにフルスクリーンボタンがさらに表示され、
前記第２の表示モジュールは、さらに、前記フルスクリーンボタンに対する第３の操作信号を受信した場合、前記メイン表示領域に前記第２のアプリケーションの前記第２のユーザーインタフェースがフルスクリーンで表示するように構成される
ことを特徴とする請求項１２に記載のユーザーインタフェースの表示装置。
【請求項１４】
前記フローティングウィンドウにさらに移動領域が表示され、
前記第２の表示モジュールは、さらに、前記移動領域に対する第４の操作信号を受信した場合、前記第４の操作信号に基づいて前記メイン表示領域における前記フローティングウィンドウの表示位置を変更するように構成される
ことを特徴とする請求項１３に記載のユーザーインタフェースの表示装置。
【請求項１５】
前記第２の表示モジュールは、さらに、前記サブ表示領域に対する第２のスライド信号を受信した場合、前記第２のスライド信号に応答して、前記サブ表示領域に前記第２のアプリケーションのプログラムアイコンの表示をキャンセルし、前記サブ表示領域に第３のアプリケーションのプログラムアイコンの表示を追加するように構成される
ことを特徴とする請求項１１に記載のユーザーインタフェースの表示装置。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
ユーザが目的地に向かって進んでいると判断し、前記ユーザが前記目的地に到着する暫定到着時間を経路エンジンから受信する到着予測サービスと、
前記暫定到着時間を調整し、目的地に応じたファクタに基づいて予測到着時間を与える、目的地に応じたモデルと
を備えるシステム。
【請求項２】
前記到着予測サービスは、
ロケーションが記録された時点における前記ユーザのロケーションを表す一連のロケーションを、前記ユーザに関連付けられたユーザデバイスから経時的に受信するステップと、
各ロケーションがそれ以前に記録されたロケーションよりも前記目的地に近いことと、直近のロケーションが建物内ではないことと、前記ロケーションが前記目的地までの想定経路上の地点に位置していることとを判断するステップと
により、前記ユーザが前記目的地に向かって進んでいると判断する、請求項１に記載のシステム。
【請求項３】
複数のユーザが行った移動を含むデータを記憶する移動履歴データベースを備え、
前記データは少なくとも、過去の通知の識別子と、前記過去の通知の質評価と、前記過去の通知に関連付けられる目的地と、前記過去の通知に関連付けられる目的地に向かって前記複数のユーザの各々が取った経路を表す経路データと、各通知に関連した時刻とを含む、請求項１に記載のシステム。
【請求項４】
前記目的地に応じたモデルは、前記移動履歴データベース内のデータに関して機械学習アルゴリズムをトレーニングすることにより作成され、
前記機械学習モデルは、特定のロケーションについてのデータを分析して前記目的地に応じたモデルを作成する、請求項３に記載のシステム。
【請求項５】
前記目的地に応じたファクタに基づいて予測された到着時間を得るために、前記目的地に応じたモデルにより前記暫定到着時間を調整するステップは、
前記予測された到着時間が信頼できないと判断するステップと、
前記目的地のコンピューティングデバイスに対して前記予測された到着時間を通知すべきではないと判断するステップと
を含む、請求項４に記載のシステム。
【請求項６】
前記到着予測サービスが、前記ユーザが第１の所定時間内に到着すると予測されることと、前記目的地が前記ユーザから要求されたオーダを満たしておらず、前記ユーザが第２の所定時間内に到着すると予測されることとのうちの少なくとも一方を判断すると、前記到着予測サービスは、前記ユーザについて予測された到着時間を含む通知を前記目的地のコンピューティングデバイスに送信する、請求項１に記載のシステム。
【請求項７】
ユーザが目的地に向かって進んでいると判断するステップと、
暫定到着時間を経路エンジンから受信するステップと、
目的地に応じたモデルに基づいて前記暫定到着時間を調整するステップと、
調整された到着時間を含む通知を前記目的地のコンピューティングデバイスに送信するステップと
を含む、正確な到着時間通知を提供するコンピュータ実施方法。
【請求項８】
ユーザが目的地に向かって進んでいると判断するステップと、
暫定到着時間を経路エンジンから受信するステップと、
目的地に応じたモデルに基づいて前記暫定到着時間の信頼度を求めるステップと、
前記目的地のコンピューティングデバイスに対する通知を、前記暫定到着時間の信頼度が前記通知を送信するのに十分なものであるときに、送信するステップと
をコンピューティングシステムに実行させるためのプログラム。